(57)【要約】      （修正有）【課題】物品の出し入れに便利で、内部空間を十分に利用した多機能収納ケースを提供する。【解決手段】多機能収納ケースは、１つのケース体部材１００と、１枚の上蓋板と、仕切板とからなり、ケース体部材１００は、底板１０と、左側板３０と、右側板２０と、前側板４０と、後側板５０とからなる。前、後側板４０、５０の高さは同一であり、側面防護板が底板１０上方に位置する高さと左、右側板３０、２０の高さとの和は、前、後側板４０、５０の高さに相当する。前、後側板４０、５０は、それぞれ底板１０の前、後側辺と回転軸によって接続され、（前、後側板４０、５０の高さの和）≦（底板１０の左、右側辺の長さ）である。前、後側板４０、５０は、底板１０の底面まで回転して平置きすることができ、ケース体の収納および輸送などに便利である。【選択図】図１
0003215343.tif 000002
【実用新案登録請求の範囲】
【請求項１】
１つのケース体部材と、１枚の上蓋板と、仕切板とからなり、前記ケース体部材は、底板と、左、右、前、後側板とからなり、底板の左、右側辺に、垂直に下向き、上向きに延べ広がる側面防護板を設け、左、右側板は、側面防護板の上方に設けられ、左、右側板の下方に、下向きに伸び広がる突出部品を設け、突出部品は、側面防護板上方内側の取付溝内に取り付けられ、回転軸に接続され、左、右側板と側面防護板との間の回転角度は、０度から９０度であり、前、後側板と底板とは、回転軸によって接続され、（前、後側板の高さの和）≦（底板左、右側辺の長さ）であり、前、後側板は、外向きに底板の底面まで回転して平置きすることができ、上蓋板は、左、右側板および前、後側板の上方に蓋をし、左、右側板の上部に、係合部品を設け、上蓋板に、係合部品に対応する係合溝を設け、係合部品は、係合溝内に挿入され、左、右側板と上蓋板とを接続し、前、後側板上部に、スナップフィット穴を設け、上蓋板に、スナップフィット穴に対応するスナップフィットを設け、スナップフィットとスナップフィット穴との結合によって、前、後側板と上蓋板とを接続し、上蓋板とケース体部材とはケース体を構成し、仕切板は、ケース体内に置かれ、ケース体内を２つ以上の空間に隔てることを特徴とする多機能収納ケース。
【請求項２】
前記左、右側板の高さは、底板の左右側辺間の距離より小さく、左、右側板は、内向きに回転し、底板およびその側面防護板が形成する空間内に重ね置きすることができることを特徴とする、請求項１に記載の多機能収納ケース。
【請求項３】
前記前、後側板上に、それぞれ持ち手穴を設けたことを特徴とする、請求項１に記載の多機能収納ケース。
【請求項４】
前記側面防護板下方の対応する底板の４つの角に、下向きに突出した脚パッドを設け、前記上蓋板の４つの角に、脚パッドに対応する凹溝を設けたことを特徴とする、請求項１に記載の多機能収納ケース。
【請求項５】
前記上蓋板の２つの相対する側面に、それぞれ伸縮可能なフック部品およびフック部品に対応するフック溝を設けたことを特徴とする、請求項１に記載の多機能収納ケース。
【請求項６】
前記仕切板は、少なくとも１枚の平板であり、ケース体上に、対応する平板支持部品を設け、仕切板は、平板支持部品上に置かれ、ケース体内部空間を隔てることを特徴とする、請求項１に記載の多機能収納ケース。
【請求項７】
前記仕切板は、Ｌ字型板であり、ケース体回転軸に接続され、ケース体を２つの三角部に分けることを特徴とする、請求項１に記載の多機能収納ケース。
【請求項８】
前記仕切板は、少なくとも１枚の平板と少なくとも１枚のＬ字型板との組み合わせであることを特徴とする、請求項１に記載の多機能収納ケース。
【考案の詳細な説明】
【技術分野】
【０００１】
本実用新案は収納ケースに関し、具体的には、物品の出し入れに便利な、内部空間を十分に利用した収納ケースである。
【背景技術】
【０００２】
収納ケースを利用すれば、物品を分類収納することができ、ケース内の物品を使用する際にも、便利に探し出すことができる。現在、市場にはさまざまな収納ケースがあり、人々の日常の需要を満たしているが、これらの収納ケースは、往々にして組み立て時の難易度と収納ケースの耐荷重性能とが正比例し、消費者が軽易に組み立て、完成することができるものは、変形しやすく、使用寿命が短いなどの問題が存在し、相対的に頑丈な収納ケースには、組み立てが煩雑で、部品、付属品が多く、生産および輸送が不便であるなどの問題が存在する。
【考案の概要】
【考案が解決しようとする課題】
【０００３】
本実用新案の目的は、堅固で耐久性があり、組み立てが簡単で、内部空間を十分に利用し、物品の出し入れに便利な収納ケースを提供することにある。
【課題を解決するための手段】
【０００４】
上記目的を実現するため、本実用新案が提供する多機能収納ケースは、１つのケース体部材と、１枚の上蓋板と、仕切板とからなる。前記ケース体部材は、底板と、左、右、前、後側板とからなり、底板の左、右側辺に、垂直に下向き、上向きに延べ広がる側面防護板を設け、側面防護板と底板とは一体成形される。左、右側板は、側面防護板の上方に設けられ、左、右側板の下方に、下向きに伸び広がる突出部品を設け、突出部品は、側面防護板上方内側の取付溝内に取り付けられ、回転軸に接続される。左、右側板と側面防護板との間の回転角度は、０度から９０度である。前、後側板は、それぞれ底板と回転軸によって接続され、（前、後側板の高さの和）≦（底板左、右側辺の長さ）であり、前、後側板は、外向きに底板の底面まで回転して平置きすることができる。
【０００５】
上蓋板は、左、右側板および前、後側板の上方に蓋をし、左、右側板の上部側辺上に、係合部品を設け、上蓋板に、係合部品に対応する係合溝を設け、係合部品は、係合溝内に挿入されて左、右側板と上蓋板とを接続する。前、後側板上部側辺上に、スナップフィット穴を設け、上蓋板上に、スナップフィット穴に対応するスナップフィットを設け、スナップフィットとスナップフィット穴との結合によって、前、後側板と上蓋板とを接続し、それと同時に開け閉めにも便利である。上蓋板とケース体部材１００とはケース体を構成し、仕切板７０は、ケース体内に置かれ、ケース体内を２つ以上の空間に隔てる。
【０００６】
左、右側板の高さは、底板の左右側辺間の距離より小さく、ケース体部材を収納する際に、左、右側板は内向きに回転し、底板およびその側面防護板が形成する空間内に重ね置きすることができる。
【０００７】
前、後側板上に、それぞれ操作に便利な持ち手穴を設け、前、後側板は、ともに収納ケースの開放蓋とすることができ、非常に使用しやすい。
【０００８】
本実用新案は、（前、後側板の高さの和）≦（底板左、右側辺の長さ）である。ケース体部材は、収納する際に、前、後側板が底板背面まで回転して平置き収納することができ、ケース体の収納および輸送などに便利である。
【０００９】
前記側面防護板下方の対応する底板の４つの角に、下向きに突出した脚パッドを設け、前記上蓋板の４つの角に、脚パッドに対応する凹溝を設ける。２つの収納ケースを重ね置きする場合、上部にある収納ケースの脚パッドは、下部にある収納ケースの上蓋板の凹溝内に置かれ、複数組を重ね置きするのに適し、重ね置きが安定する。
【００１０】
前記上蓋板の２つの相対する側面に、それぞれ伸縮可能なフック部品およびフック部品に対応するフック溝を設ける。複数組の収納ケースを並列させる場合、１つの収納ケースは、フック部品によってもう１つの隣り合う収納ケースのフック溝と接続され、並列置きの安定性を強化する。隣り合う収納ケースを接続する必要がない場合、伸縮可能なフック部品は、上蓋板辺縁に引っ込めればよい。
【００１１】
前記仕切板は、少なくとも１枚の平板であり、ケース体上に、対応する平板支持部品を設け、仕切板は、平板支持部品上に置かれ、ケース体内部空間を隔て、事務書類などの物品を保管するのに適する。
【００１２】
前記仕切板は、Ｌ字型板であり、ケース体回転軸に接続され、ケース体を２つの三角部に分け、靴などの物品を保管するのに適する。
【００１３】
前記仕切板は、少なくとも１枚の平板と少なくとも１枚のＬ字型板との組み合わせである。必要に応じて、ケース体内部空間を十分に利用することができる。
【考案の効果】
【００１４】
本実用新案は、１つのケース体部材と上蓋板とを手軽に組み立ててケース体とし、ケース体部材は、収納の際に、その左、右側板が内向きに回転し、底板およびその側面防護板が形成する空間内に重ね置きすることができる。前、後側板は、外向きに回転し、底板の底面まで回転して平置きすることができ、収納空間を大幅に節約し、製品の輸送、保存に役立つ。ケース体部材の前、後側板は、ともに手軽に開くことができ、物品の出し入れに便利である。仕切板は、必要に応じて、平板もしくはＬ字型板、または両者の組み合わせを用いてもよく、さまざまなタイプの物品の保管に便利である。それとともに、本実用新案収納ケースは、上下重ね置きまたは並列置きする場合、安定し、しっかりしている。
【図面の簡単な説明】
【００１５】
【図１】本実用新案ケース体部材の構造概略図である。
【図２】本実用新案ケース体部材の使用状態図である。
【図３】本実用新案上蓋板の概略図である。
【図４】本実用新案底板の概略図である。
【図５】本実用新案仕切板の構造概略図である。
【考案を実施するための形態】
【００１６】
以下では、図面および実施例を組み合わせて、本実用新案についてさらに詳細な説明を行う。
【００１７】
本実用新案が提供する多機能収納ケースは、１つのケース体部材１００と、１枚の上蓋板６０と、仕切板７０とからなり、組み立てが簡単で、輸送に便利である。
【００１８】
図１、図２に示されたように、ケース体部材１００は、底板１０と、左側板３０と、右側板２０と、前側板４０と、後側板５０とからなる。図４に示されたように、底板１０の左、右側辺に、垂直に下向き、上向きに延べ広がる側面防護板１１を設け、側面防護板１１と底板１０とは一体成形されてなる。左、右側板３０、２０は、側面防護板１１の上方に設けられ、左、右側板の下方に、下向きに伸び広がる突出部品を設け、突出部品は、側面防護板上方内側の取付溝１１１内に取り付けられ、回転軸に接続される。左、右側板３０、２０と側面防護板１１との間の回転角度は、０度から９０度である。左、右側板３０、２０の高さは、底板１０の左右側辺間の距離より小さく、ケース体部材１００を収納する場合、左、右側板３０、２０は、それぞれ底板１０方向に折り畳まれ、左、右側板３０、２０はまとめて重ね置きされ、底板１０およびその側面防護板１１が形成する空間内に位置する。
【００１９】
前、後側板４０、５０の高さは同一であり、側面防護板が底板１０上方に位置する高さと左、右側板３０、２０の高さとの和は、前、後側板４０、５０の高さに相当する。前、後側板４０、５０は、それぞれ底板１０の前、後側辺と回転軸によって接続され、（前、後側板４０、５０の高さの和）≦（底板１０の左、右側辺の長さ）である。前、後側板４０、５０は、底板１０の底面まで回転して平置きすることができ、ケース体の収納および輸送などに便利である。
【００２０】
上蓋板は６０とケース体部材１００とがケース体を構成する場合、上蓋板６０で、左、右側板３０、２０および前、後側板４０、５０の上方に蓋をし、図２に示されたように、左、右側板３０、２０の上部側辺上に、それぞれ係合部品３１、２１を設け、上蓋板６０の左右側に、係合部品３１、２１に対応する係合溝を設け、係合部品は、係合溝内に挿入されて左、右側板と上蓋板とを接続する。前、後側板４０、５０上部側辺上に、スナップフィット穴６３ａを設け、図３に示されたように、上蓋板６０上に、スナップフィット穴６３ａに対応するスナップフィット６３を設け、スナップフィットとスナップフィット穴との結合によって、前、後側板４０、５０と上蓋板６０とを接続し、前、後側板４０、５０は、ともに収納ケースの開放蓋とすることができ、非常に使用しやすい。前、後側板４０、５０上に、それぞれ持ち手穴を設け、前、後側板を開け閉めするのに便利である。上蓋板６０とケース体部材１００とはケース体を構成し、仕切板７０は、ケース体内に置かれ、ケース体内を２つ以上の空間に隔てる。
【００２１】
本実用新案ケース体の仕切板７０は、少なくとも１枚の平板構造であり、ケース体上に、対応する平板支持部品を設け、仕切板は、平板支持部品上に置かれ、ケース体内部空間を隔て、事務書類などの物品を保管するのに適する。
【００２２】
本実用新案ケース体の仕切板７０は、図５に示されたＬ字型板を用いてもよく、ケース体回転軸に接続され、ケース体を２つの三角部に分け、靴などの物品を保管するのに適する。
【００２３】
本実用新案ケース体の仕切板７０は、少なくとも１枚の平板と少なくとも１枚のＬ字型板との組み合わせを用いてもよい。必要に応じて、ケース体内部空間を十分に利用することができる。
【００２４】
またさらに、側面防護板１１下方の対応する底板１０の４つの角に、下向きに突出した脚パッドを設け、それと同時に、図３に示されたように、上蓋板６０の４つの角に、脚パッドに対応する凹溝６４を設ける。２つの収納ケースを重ね置きする場合、上部にある収納ケースの脚パッドは、下部にある収納ケースの上蓋板の凹溝内に置かれ、複数組を重ね置きするのに適し、重ね置きが安定する。
【００２５】
またさらに、上蓋板６０の左、右側面上に、それぞれ伸縮可能なフック部品６１およびフック部品６１に対応するフック溝６２を設ける。複数組の収納ケースを並列させる場合、１つの収納ケースがフック部品６１によってもう１つの隣り合う収納ケースのフック溝６２に接続し、左、右並列置きの安定性を強化することができる。隣り合う収納ケースを、左、右接続する必要がない場合、伸縮可能なフック部品６１を上蓋板６０の辺縁に引っ込めればよい。
【符号の説明】
【００２６】
１００  ケース体部材
１０    底板
２０    右側板
３０    左側板
４０    前側板
５０    後側板
６０    上蓋板
７０    仕切板
【図１】
0003215343.tif 000003
【図２】
0003215343.tif 000004
【図３】
0003215343.tif 000005
【図４】
0003215343.tif 000006
【図５】
0003215343.tif 000007